(57)【要約】【課題】所望の配光特性を実現しながらも照明装置を小型化する。【解決手段】照明装置１０は、基台１と、発光部２と、カバー３と、導光部材４と、固定部材５とを備える。発光部２は、第１発光素子及び第２発光素子を有する。カバー３は、第１発光素子を覆い、第１発光素子からの光を照明空間へ透過させる。導光部材４は、第２発光素子からの光を照明空間へ導光する。固定部材５は、発光部２及び導光部材４を基台１に固定する。固定部材５は、基部５０と、基部５０の外縁に設けられたカバー用固定部５２とを有する。カバー３は、カバー用固定部５２によって固定部材５に固定される。【選択図】図１
2020047392.tif 000002
【特許請求の範囲】
【請求項１】
基台と、
第１発光素子及び第２発光素子を有する発光部と、
前記第１発光素子を覆い、前記第１発光素子からの光を照明空間へ透過させるカバーと、
前記第２発光素子からの光を前記照明空間へ導光する導光部材と、
前記発光部及び前記導光部材を前記基台に固定する固定部材と、を備え、
前記固定部材は、
基部と、
前記基部の外縁に設けられたカバー用固定部と、を有し、
前記カバーは、前記カバー用固定部によって前記固定部材に固定される、
照明装置。
【請求項２】
前記第１発光素子は、前記カバー用固定部よりも内側の素子用実装領域に実装されており、
前記固定部材は、前記固定部材を前記基台に固定する部材用固定部を更に有し、
前記部材用固定部は、前記固定部材が前記基台に取り付けられた状態で、前記素子用実装領域のうち前記第１発光素子が実装されていない非実装領域に配置される、
請求項１に記載の照明装置。
【請求項３】
前記発光部は、
前記第１発光素子及び前記第２発光素子が実装される実装基板と、
前記第１発光素子及び前記第２発光素子の点灯電力を生成する電源回路と、を更に有し、
前記電源回路は、複数の回路素子を有し、
前記複数の回路素子が前記実装基板に実装されている、
請求項１又は２に記載の照明装置。
【請求項４】
前記実装基板は、
第１面と、
前記第１面と反対側の第２面と、を有し、
前記第１発光素子及び前記第２発光素子は、前記第１面に実装されており、
前記複数の回路素子は、前記第２面に実装されている、
請求項３に記載の照明装置。
【請求項５】
前記複数の回路素子は、
第１回路素子と、
前記第１回路素子よりも大きい第２回路素子と、を含み、
前記第２回路素子は、前記実装基板のうち、前記実装基板の厚さ方向から見て、前記第１発光素子及び前記第２発光素子と重ならない非重複領域に実装されている、
請求項３又は４に記載の照明装置。
【請求項６】
前記発光部は、複数の前記第１発光素子、及び複数の前記第２発光素子を有し、
前記複数の第１発光素子の各々は、一の方向からの平面視において、隣接する第１発光素子との間に第１間隔を空けた状態で、第１仮想線上に位置し、
前記複数の第２発光素子の各々は、前記一の方向からの平面視において、隣接する第２発光素子との間に第２間隔を空けた状態で、前記第１仮想線よりも外側の第２仮想線上に位置し、
前記第１仮想線と前記第２仮想線とが並ぶ方向における前記第１発光素子と前記第２発光素子との間の第３間隔は、前記複数の第１発光素子及び前記複数の第２発光素子のうち少なくとも一部において、前記第２間隔以上で、かつ前記第１間隔よりも小さい、
請求項１〜５のいずれか１項に記載の照明装置。
【発明の詳細な説明】
【技術分野】
【０００１】
本開示は、照明装置に関する。より詳細には、本開示は、複数の発光素子を備える照明装置に関する。
【背景技術】
【０００２】
従来、住宅などの建物の造営材に設置される照明器具が知られている（例えば特許文献１参照）。特許文献１に記載の照明器具は、器具本体と、複数の発光モジュールと、光源カバーと、導光板と、反射部材と、外郭カバーと、を備える。
【０００３】
器具本体は、複数の発光モジュールを支持するための筐体である。複数の発光モジュールは、環状になるように、互いに隣接して配置される。複数の発光モジュールの各々は、光源基板と、複数の第１発光素子と、複数の第２発光素子とを有する。複数の第１発光素子は、光源基板の内側領域において、光源基板の周方向に間隔を空けて配置されている。複数の第２発光素子は、光源基板の外側領域において、光源基板の周方向に間隔を空けて配置されている。
【０００４】
光源カバーは、発光モジュールに設けられた複数の第１発光素子を覆い、複数の第１発光素子が発した光を透過させる。導光板は、リング状に形成され、複数の第２発光素子の各々から出射する光を照明器具の外部に導光する。反射部材は、リング状に形成され、導光板の湾曲部の内部で導かれた光、及び光源カバーから出射された光を反射する。外郭カバーは、照明器具の外郭を構成するカバーであって、器具本体、発光モジュール及び光源カバーを覆う。外郭カバーは、反射部材に固定された取付部材によって反射部材に固定される。
【先行技術文献】
【特許文献】
【０００５】
【特許文献１】特開２０１８−１０７０２８号公報
【発明の概要】
【発明が解決しようとする課題】
【０００６】
特許文献１に記載の照明器具（照明装置）では、光源基板における内側領域と外側領域との間に取付部材を配置するためのスペースが必要であり、その分、照明器具が大型化するという問題があった。
【０００７】
本開示の目的は、所望の配光特性を実現しながらも小型化することができる照明装置を提供することにある。
【課題を解決するための手段】
【０００８】
本開示の一態様に係る照明装置は、基台と、発光部と、カバーと、導光部材と、固定部材と、を備える。前記発光部は、第１発光素子及び第２発光素子を有する。前記カバーは、前記第１発光素子を覆い、前記第１発光素子からの光を照明空間へ透過させる。前記導光部材は、前記第２発光素子からの光を前記照明空間へ導光する。前記固定部材は、前記発光部及び前記導光部材を前記基台に固定する。前記固定部材は、基部と、前記基部の外縁に設けられたカバー用固定部と、を有する。前記カバーは、前記カバー用固定部によって前記固定部材に固定される。
【発明の効果】
【０００９】
本開示によれば、所望の配光特性を実現しながらも照明装置を小型化することができる、という効果がある。
【図面の簡単な説明】
【００１０】
【図１】図１は、一実施形態に係る照明装置の分解斜視図である。
【図２】図２Ａは、同上の照明装置の基板及び発光部の平面図である。図２Ｂは、図２Ａの一部拡大図である。
【図３】図３Ａは、同上の照明装置のカバーの平面図である。図３Ｂは、同上の照明装置のカバーの側面図である。
【図４】図４Ａは、同上の照明装置の固定部材の平面図である。図４Ｂは、同上の照明装置の固定部材の底面図である。
【図５】図５は、同上の照明装置の斜視図である。
【図６】図６は、同上の照明装置の要部を示す平面図である。
【図７】図７は、一実施形態の変形例１に係る照明装置の斜視図である。
【図８】図８Ａは、同上の照明装置の基板及び発光部の平面図である。図８Ｂは、図８Ａの一部拡大図である。
【発明を実施するための形態】
【００１１】
以下に説明する実施形態及び変形例は、本開示の一例に過ぎない。本開示は、実施形態及び変形例に限定されることなく、この実施形態及び変形例以外であっても、本開示に係る技術的思想を逸脱しない範囲であれば、設計等に応じて種々の変更が可能である。下記の実施形態及び変形例において説明する各図は模式的な図であり、図中の各構成要素の大きさ及び厚さそれぞれの比が必ずしも実際の寸法比を反映しているとは限らない。
【００１２】
（実施形態）
（１）照明装置の全体構成
以下、本実施形態に係る照明装置１０の全体構成について、図１、図２Ａ、及び図２Ｂを参照して説明する。
【００１３】
本実施形態に係る照明装置１０は、例えば、建物の天井に固定されるシーリングライトである。具体的には、照明装置１０は、天井に固定された引っ掛けシーリングに取り付けられることによって天井に固定される。本実施形態では、建物が戸建て住宅である場合を例示する。ただし、建物は戸建て住宅に限らず、例えば、集合住宅の各住戸であってもよいし、工場、病院、テナントビル等の非住宅であってもよい。
【００１４】
本実施形態に係る照明装置１０は、図１に示すように、基台１と、発光部２と、カバー３と、導光部材４と、固定部材５と、を備えている。発光部２は、図２Ａ及び図２Ｂに示すように、第１発光素子２２及び第２発光素子２３を有する。カバー３は、第１発光素子２２を覆い、第１発光素子２２からの光を照明空間Ｓ１（図５参照）へ透過させる。導光部材４は、第２発光素子２３からの光を照明空間Ｓ１へ導光する。このように、本実施形態に係る照明装置１０では、第１発光素子２２は直射用の発光素子であり、第２発光素子２３は導光用の発光素子である。本開示でいう「直射用」とは、発光素子からの光が照明空間に直接照射される場合と、発光素子からの光がカバー等を介して照明空間に照射される場合とを含み、発光素子からの光が導光部材を介して照明空間に照射される場合を含まない。また、照明空間Ｓ１は、照明装置１０が設置された建物の室内空間である。固定部材５は、発光部２及び導光部材４を基台１に固定する。固定部材５は、基部５０と、基部５０の外縁に設けられたカバー用固定部５２と、を有する。カバー３は、カバー用固定部５２によって固定部材５に固定される。
【００１５】
本実施形態に係る照明装置１０では、カバー３を固定部材５に固定するためのカバー用固定部５２が基部５０の外縁に設けられているので、第１発光素子２２と第２発光素子２３との間にカバー用固定部５２を配置するためのスペースが不要である。そのため、第１発光素子２２と第２発光素子２３との間隔を狭めることができ、これにより照明装置１０の小型化が可能である。つまり、本実施形態に係る照明装置１０によれば、カバー３及び導光部材４によって所望の配光特性を実現しながらも照明装置１０を小型化することができる。
【００１６】
（２）照明装置の各構成要素
以下、本実施形態に係る照明装置１０の各構成要素について、図１〜図４Ｂを参照して説明する。
【００１７】
本実施形態に係る照明装置１０は、図１に示すように、基台１と、発光部２と、カバー３と、導光部材４と、固定部材５と、を備えている。さらに、照明装置１０は、反射部材６と、取付部材７と、複数（図１では４つ）緩衝部材８と、パッキン９１，９２と、を備えている。
【００１８】
（２．１）基台
基台１は、図１に示すように、第１部材１１と、第２部材１２と、を含む。第１部材１１及び第２部材１２は、例えば、アルミニウム板又は鋼板等の板金をプレス加工することによって所定の形状に形成されている。
【００１９】
第１部材１１は、一面（第２部材１２側の面）が開口した扁平な円筒状に形成されている。第１部材１１は、底壁部１１２と、側壁部１１３と、を有している。第１部材１１の側壁部１１３は、第２部材１２に近づくほど開口径が大きくなるように傾斜している。第１部材１１の底壁部１１２の中央には、円形の貫通孔１１１が設けられている。
【００２０】
第２部材１２は、第１部材１１側から見て、円形の板状に形成されている。第２部材１２の外径は、第１部材１１の開口径よりも大きい。したがって、第１部材１１と第２部材１２とを組み合わせた状態では、第１部材１１の（下面）開口が第２部材１２によって塞がれる。第２部材１２の中央には、第１部材１１側に凹む円形の凹部１２１が設けられている。凹部１２１の底壁部１２３には、円形の貫通孔１２２が設けられている。貫通孔１２２の開口径は、第１部材１１の貫通孔１１１の開口径よりも小さい。
【００２１】
（２．２）発光部
発光部２は、図１に示すように、実装基板２１と、反射部材２５と、光学部材２６と、を含む。
【００２２】
実装基板２１は、例えば、ガラスエポキシ樹脂からなるプリント配線板である。実装基板２１は、基台１側から見て、矩形の板状に形成されている。実装基板２１の中央には、円形の貫通孔２１０が設けられている。貫通孔２１０は、後述する取付部材７の第１部材７１が挿通可能な大きさに形成されている。実装基板２１は、第１面２１１と、第２面２１２と、を有している。本実施形態では、第１面２１１は、基台１と反対側の面（図１の下面）である。また、第２面２１２は、基台１側の面（図１の上面）であって、実装基板２１における第１面２１１と反対側の面である。
【００２３】
実装基板２１の第１面２１１には、図２Ａに示すように、複数の第１発光素子２２及び複数の第２発光素子２３が実装されている。言い換えると、発光部２は、第１発光素子２２及び第２発光素子２３が実装されている実装基板２１を有している。さらに言い換えると、発光部２は、複数の第１発光素子２２、及び複数の第２発光素子２３を有している。本実施形態では、第１発光素子２２及び第２発光素子２３は、例えば、表面実装（Surface Mount Device：ＳＭＤ）型の発光ダイオード（light emitting diode：ＬＥＤ）である。
【００２４】
また、実装基板２１の第２面２１２には、図２Ａに示すように、複数の回路素子２４が実装されている。複数の回路素子２４は、例えば、複数の第１発光素子２２及び複数の第２発光素子２３の点灯電力を生成する電源回路２００を構成する素子である。言い換えると、発光部２は、第１発光素子２２及び第２発光素子２３の点灯電力を生成する電源回路２００を更に有している。複数の回路素子２４は、第１回路素子２４１と、第１回路素子２４１よりも大きい第２回路素子２４２と、を含む。
【００２５】
本開示でいう「第１回路素子２４１よりも大きい第２回路素子２４２」とは、第１回路素子２４１よりも第２回路素子２４２のほうが、実装基板２１の厚さ方向における断面積が大きいことをいう。つまり、図２Ａに示すように、実装基板２１の厚さ方向における断面積が相対的に小さい回路素子が第１回路素子２４１であり、断面積が相対的に大きい回路素子が第２回路素子２４２である。第１回路素子２４１は、例えば、電源回路２００の一部を構成する抵抗、コンデンサ等である。第２回路素子２４２は、例えば、電源回路２００の一部を構成するトランス等である。なお、実装基板２１における第１発光素子２２、第２発光素子２３、及び回路素子２４の配置については、「（３）発光素子、及び回路素子の配置」の欄で説明する。
【００２６】
反射部材２５は、図１に示すように、例えば、鋼板等の板金をプレス加工することによって一面（実装基板２１側の面）が開口した扁平な円筒状に形成されている。反射部材２５の底壁部２５３の中央には、円形の貫通孔２５１が設けられている。貫通孔２５１は、取付部材７の第１部材７１が挿通可能な大きさに形成されている。また、反射部材２５の底壁部２５３の外縁には、矩形の貫通孔２５２が設けられている。反射部材２５は、例えば、固定ねじを用いて実装基板２１に固定される。反射部材２５の側壁部２５４及び底壁部２５３は、複数の第１発光素子２２からの光を照明空間Ｓ１（図５参照）に向けて反射させる。
【００２７】
光学部材２６は、図１に示すように、例えば、アクリル樹脂等の光透過性を有する合成樹脂により円環状に形成されている。光学部材２６は、本体部２６１と、複数（図１では３つ）のレンズ部２６２と、を有している。複数のレンズ部２６２は、本体部２６１の周方向に沿って等間隔に設けられている。複数のレンズ部２６２の各々は、本体部２６１の一面（実装基板２１と反対側の面）から半球状に突出しており、本体部２６１の周方向に沿って所定長さに形成されている。光学部材２６が実装基板２１に取り付けられた状態では、複数のレンズ部２６２と複数の第１発光素子２２とが対向している。
【００２８】
（２．３）カバー
カバー３は、例えば、アクリル等の光透過性を有する合成樹脂により形成されている。カバー３は、図１、図３Ａ、及び図３Ｂに示すように、一面（導光部材４側の面）が開口した扁平な円筒状に形成されている。カバー３は、主面３１と、側面３２と、を有している。主面３１は、導光部材４側から見て、円形に形成されている（図３Ａ参照）。側面３２は、主面３１の外縁から導光部材４に近づく向きに延びており、導光部材４に近づくほど開口径が大きくなるように傾斜している（図３Ｂ参照）。
【００２９】
さらに、カバー３は、複数（図３Ａでは４つ）のカバー側固定部３３を有している。複数のカバー側固定部３３は、主面３１の周方向に沿って等間隔に設けられている。複数のカバー側固定部３３の各々は、主面３１の厚さ方向から見て、矩形の板状であって、主面３１の周方向に沿って所定長さに形成されている。また、各カバー側固定部３３は、主面３１の厚さ方向から見て、主面３１の径方向に凹む溝３３０を有している。本実施形態では、カバー３は、主面３１及び側面３２の内表面に施された微細な凹凸によって、光拡散性を有している。なお、カバー３の材料はアクリルに限らず、例えば、ポリカーボネート等であってもよい。
【００３０】
（２．４）導光部材
導光部材４は、例えば、アクリル等の光透過性を有する合成樹脂により形成されている。導光部材４は、図１に示すように、導光パネル４１と、ガイド部４２と、複数（図１では２つのみ図示）の取付部４３と、を有している。ガイド部４２は、一端（図１の上端）から他端（図１の下端）に向かって開口径が徐々に大きくなるような円筒状に形成されている。導光パネル４１は、円環状に形成されている。導光パネル４１は、その内周縁においてガイド部４２と一体に形成されている。複数の取付部４３は、ガイド部４２の一端側の開口縁において周方向に沿って等間隔に設けられている。複数の取付部４３の各々は、半円状に形成された挿通溝４３０を有している。挿通溝４３０には、固定部材５を基台１に固定するための固定ねじが挿通される。
【００３１】
照明装置１０を組み立てた状態（図５に示す状態）では、導光部材４のガイド部４２の一端側の端面（以下、「第１端面」ともいう）が、実装基板２１に実装されている複数の第２発光素子２３と対向している。複数の第２発光素子２３から発せられた光は、第１端面からガイド部４２内に入射し、ガイド部４２内を通って導光パネル４１へと導光される。導光パネル４１に導光された光は、導光パネル４１の主面（図１の上面４１１及び下面４１２）から外部に照射される。
【００３２】
（２．５）固定部材
固定部材５は、例えば、ポリカーボネート等の合成樹脂により形成されている。固定部材５は、図１、図４Ａ、及び図４Ｂに示すように、一端（図１の上端）から他端（図１の下端）に向かって開口径が徐々に大きくなるような円筒状に形成されている。固定部材５は、基部５０と、複数（図４Ａでは３つ）の部材用固定部５１と、を有している。複数の部材用固定部５１は、基部５０の一端側の開口縁において、周方向に沿って等間隔に設けられている。複数の部材用固定部５１の各々は、半円状に形成された挿通溝５１０を有している。挿通溝５１０には、固定部材５を基台１に固定するための固定ねじが挿通される。言い換えると、固定部材５は、固定部材５を基台１に固定する部材用固定部５１を有している。
【００３３】
固定部材５は、複数（図４Ｂでは２つ）のカバー用固定部５２を更に有している。複数のカバー用固定部５２は、基部５０の他端側の外縁において、周方向に沿って等間隔に設けられている。複数のカバー用固定部５２の各々は、基部５０の周方向に沿って延びる板状の撓み片５２０を有している。撓み片５２０の先端には、平面視で三角状に形成された突起５２１が一体に形成されている。撓み片５２０は、基部５０の径方向に撓み可能である。
【００３４】
また、固定部材５は、複数（図４Ｂでは４つ）のガイド片５３を更に有している。複数のガイド片５３は、基部５０の他端側の外縁において、周方向に沿って等間隔に設けられている。複数のガイド片５３の各々は、基部５０の周方向に沿って所定長さに形成されている。複数のガイド片５３のうち２つのガイド片５３は、図４Ｂに示すように、上述した２つのカバー用固定部５２に繋がっている。また、複数のガイド片５３のうち隣接する２つのガイド片５３間には、溝５４が設けられている。本実施形態では、固定部材５は、複数（図４Ｂでは４つ）の溝５４を有している。
【００３５】
ここで、固定部材５にカバー３を取り付ける場合について簡単に説明する。まず、カバー３の開口側を固定部材５側に向けた状態で固定部材５にカバー３を組み合わせる。このとき、カバー３と固定部材５とが並ぶ方向において、複数のカバー側固定部３３の位置と複数の溝５４の位置とを合わせる。この状態から、固定部材５に対してカバー３を一方向に回転させると、複数のカバー側固定部３３の各々が、対応するガイド片５３に沿って移動する。そして、固定部材５に対してカバー３を所定位置まで回転させると、カバー３が固定部材５に取り付けられる。このとき、複数のカバー側固定部３３のうち２つのカバー側固定部３３は、撓み片５２０の突起５２１に接触しながら移動し、カバー３が上記所定位置に達した状態ではカバー側固定部３３の溝３３０内に突起５２１が挿入される。
【００３６】
なお、固定部材５の材料はポリカーボネートに限らず、例えば、ＡＢＳ（Acrylonitrile Butadiene Styrene）等であってもよい。
【００３７】
（２．６）反射部材
反射部材６は、図１に示すように、例えば、ポリスチレン等の合成樹脂によりリング状に形成されている。反射部材６は、反射部６１と、側壁部６２と、を有している。反射部６１は、一端（図１の上端）から他端（図１の下端）に向かって開口径が徐々に大きくなるような円筒状に形成されている。反射部６１は、複数（図１では３つ）の取付部６３を有している。複数の取付部６３は、反射部６１の周方向に沿って等間隔に設けられている。反射部材６は、複数の取付部６３を介して基台１に取り付けられる。側壁部６２は、反射部６１の他端側の開口縁から延びており、導光部材４から離れるほど開口径が大きくなるように傾斜している。反射部材６は、反射部６１が反射面として機能するように構成されている。
【００３８】
照明装置１０を組み立てた状態（図５に示す状態）では、導光部材４のガイド部４２と反射部材６の反射部６１とが対向している。反射部６１は、ガイド部４２内を通過する光のうち、ガイド部４２から外部に漏れた光をガイド部４２側へ反射させる。
【００３９】
（２．７）取付部材
取付部材７は、図１に示すように、第１部材７１と、第２部材７２と、を含む。第１部材７１は、例えば、ポリプロピレン等の合成樹脂により形成されている。第１部材７１は、筒状部７１１と、鍔部７１２と、を有している。筒状部７１１は、両端（図１の上端及び下端）が開口した円筒状に形成されている。鍔部７１２は、筒状部７１１の一端（図１の上端）側の開口縁から全周に亘って外向きに突出している。
【００４０】
第２部材７２は、例えば、ポリブチレンテレフタレート等の合成樹脂により形成されている。第２部材７２は、筒状部７２１と、鍔部７２２と、を有している。筒状部７２１は、一端（図１の下端）が開口した円筒状に形成されている。鍔部７２２は、筒状部７２１の他端（図１の上端）から全周に亘って外向きに突出している。筒状部７２１の外径は筒状部７１１の内径よりも小さく、第１部材７１と第２部材７２とを組み合わせた状態では、筒状部７２１が筒状部７１１内に挿入される。
【００４１】
取付部材７は、天井に固定された引っ掛けシーリングに取り付けられたアダプタに取り付けられることで、引っ掛けシーリングに対して電気的かつ機械的に接続される。
【００４２】
なお、第１部材７１の材料はポリプロピレンに限らず、例えば、ＡＢＳ等であってもよい。また、第２部材７２の材料はポリブチレンテレフタレートに限らず、例えば、シリコーン等であってもよい。
【００４３】
（２．８）緩衝部材
複数（図１では４つ）の緩衝部材８の各々は、例えば、ポリウレタン等の合成樹脂により形成されている。複数の緩衝部材８の各々は、平面視で円弧状に形成されている。各緩衝部材８の長手方向における第１端面及び第２端面は、互いに異なる角度で傾斜している。また、第１端面と第２端面とがなす角度は、例えば、９０度である。複数の緩衝部材８は、環状となるように、互いに隣接して配置される。
【００４４】
（２．９）パッキン
パッキン９１，９２は、図１に示すように、例えば、シリコーン樹脂等の合成樹脂によりリング状に形成されている。パッキン９１は、導光部材４と反射部材６との間に配置され、導光部材４と反射部材６との隙間を密閉する。パッキン９２は、カバー３と固定部材５との間に配置され、カバー３と固定部材５との隙間を密閉する。
【００４５】
（３）発光素子、及び回路素子の配置
次に、実装基板２１における第１発光素子２２、第２発光素子２３、及び回路素子２４の配置について、図２Ａ、図２Ｂ、及び図６を参照して説明する。図２Ａは、実装基板２１の平面図であり、図２Ｂは、図２Ａの一部拡大図である。また、図６は、照明装置１０を組み立てた状態における実装基板２１と固定部材５との位置関係を示す平面図である。図６では、実装基板２１を実線で図示し、固定部材５を二点鎖線で図示している。
【００４６】
複数の第１発光素子２２は、図２Ａに示すように、一の方向（図２Ａの紙面に垂直な方向）からの平面視において、第１仮想線Ｌ１上に位置している。また、複数の第１発光素子２２の各々は、図２Ｂに示すように、一の方向からの平面視において、隣接する第１発光素子２２との間隔が第１間隔Ｄ１となっている。複数の第２発光素子２３は、図２Ａに示すように、一の方向からの平面視において、第２仮想線Ｌ２上に位置している。また、複数の第２発光素子２３の各々は、図２Ｂに示すように、一の方向からの平面視において、隣接する第２発光素子２３との間隔が第２間隔Ｄ２となっている。
【００４７】
本実施形態では、第１仮想線Ｌ１及び第２仮想線Ｌ２は、それぞれ曲線である。具体的には、第１仮想線Ｌ１は、半径ｒ１の第１円の円周であり、第２仮想線Ｌ２は、半径ｒ２（ｒ２＞ｒ１）の第２円の円周である。また、第１円の中心Ｐ１と第２円の中心Ｐ２とが一致しており、第１円と第２円とは同心円である。つまり、本実施形態に係る照明装置１０では、複数の第２発光素子２３は、複数の第１発光素子２２よりも外側に位置している。
【００４８】
また、複数の第１発光素子２２は、図６に示すように、一の方向（図６の紙面に垂直な方向）からの平面視において、固定部材５のカバー用固定部５２よりも内側の素子用実装領域Ｒ１に実装されている。素子用実装領域Ｒ１は、複数（図６では３つ）の第１実装領域Ｒ１１と、複数（図６では３つ）の非実装領域Ｒ１２と、を含む。素子用実装領域Ｒ１では、環状となるように、複数の第１実装領域Ｒ１１と複数の非実装領域Ｒ１２とが交互に並んでいる。複数の第１発光素子２２は、素子用実装領域Ｒ１のうち複数の第１実装領域Ｒ１１に実装されている。つまり、非実装領域Ｒ１２は、第１発光素子２２が実装されていない領域である。照明装置１０を組み立てた状態では、図６に示すように、一の方向からの平面視において、固定部材５の部材用固定部５１が非実装領域Ｒ１２に配置される。言い換えると、部材用固定部５１は、固定部材５が基台１に取り付けられた状態で、素子用実装領域Ｒ１のうち第１発光素子２２が実装されていない非実装領域Ｒ１２に配置される。この構成によれば、第１発光素子２２が配置されていないデッドスペース（非実装領域Ｒ１２）を利用して部材用固定部５１を配置することができる。
【００４９】
また、複数の第２発光素子２３は、図２Ａ及び図６に示すように、一の方向からの平面視において、固定部材５のカバー用固定部５２よりも内側で、かつ素子用実装領域Ｒ１よりも外側の第２実装領域Ｒ２に実装されている。
【００５０】
ここで、複数の回路素子２４は、上述のように、第１回路素子２４１と、第２回路素子２４２と、を含む。本実施形態に係る照明装置１０では、図２Ａに示すように、第１回路素子２４１及び第２回路素子２４２は、実装基板２１の第２面２１２（第１面２１１と反対側の面）に実装されている。より詳細には、第１回路素子２４１及び第２回路素子２４２は、実装基板２１の第２面２１２のうち、実装基板２１の厚さ方向（図２Ａの紙面に垂直な方向）から見て、第１発光素子２２及び第２発光素子２３と重ならない非重複領域Ｒ３に実装されている。本実施形態では、非重複領域Ｒ３は、実装基板２１の第２面２１２のうち、貫通孔２１０よりも外側の領域で、かつ素子用実装領域Ｒ１よりも内側の領域である。このように、複数の第１回路素子２４１及び第２回路素子２４２を非重複領域Ｒ３に実装することによって、第１発光素子２２及び第２発光素子２３が発する熱による第１回路素子２４１及び第２回路素子２４２への影響を低減することができる。
【００５１】
ところで、本実施形態に係る照明装置１０では、複数の第１発光素子２２及び複数の第２発光素子２３のうち少なくとも一部において、第３間隔Ｄ３（図２Ｂ参照）が第２間隔Ｄ２以上で、かつ第１間隔Ｄ１よりも小さいことが好ましい。第３間隔Ｄ３は、第１仮想線Ｌ１と第２仮想線Ｌ２とが並ぶ方向における第１発光素子２２と第２発光素子２３との間隔である。本実施形態では、すべての第１発光素子２２及びすべての第２発光素子２３において、第３間隔Ｄ３が第２間隔Ｄ２以上で、かつ第１間隔Ｄ１よりも小さくなっている。この構成によれば、光拡散性を有するカバー３を用いることによって、第１発光素子２２の個数を削減しながらも所望の配光特性を実現することができる。
【００５２】
ここで、第１間隔Ｄ１は、例えば、３ｍｍ以上で、かつ９ｍｍ以下であることが好ましい。より好ましくは、第１間隔Ｄ１は、４．６２ｍｍ以上で、かつ６．７１ｍｍ以下であるのがよい。また、第２間隔Ｄ２は、２ｍｍ以上で、かつ８ｍｍ以下であることが好ましい。より好ましくは、第２間隔Ｄ２は、４．６２ｍｍ以上で、かつ６．７１ｍｍ以下であるのがよい。さらに、第３間隔Ｄ３は、２ｍｍ以上で、かつ９ｍｍ未満であることが好ましい。より好ましくは、５．１５ｍｍであるのがよい。また、第２間隔Ｄ２に対する第３間隔Ｄ３の比率は、１以上で、かつ１．５以下であることが好ましい。この構成によれば、上記比率が１．５よりも大きい場合と比較して、照明装置１０を小型化することができる。
【００５３】
以上説明したように、本実施形態に係る照明装置１０では、カバー３を固定部材５に固定するためのカバー用固定部５２が固定部材５の基部５０の外縁に設けられている。そのため、第１発光素子２２と第２発光素子２３との間に、カバー用固定部５２を配置するためのスペースを設けなくてもよく、第１発光素子２２と第２発光素子２３との間隔を狭めることができる。これにより、導光部材４の外径を小さくすることができ、照明装置１０の小型化が可能である。つまり、本実施形態に係る照明装置１０によれば、所望の配光特性を実現しながらも照明装置１０を小型化することができる。一方、照明装置１０の大きさを変更しない（小型化しない）場合には、導光部材４の導光パネル４１の発光面積（上面４１１及び下面４１２の面積）を大きくすることができる。
【００５４】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００５５】
（４．１）変形例１
上述の実施形態では、照明装置１０が丸型のシーリングライトであったが、図７に示すように、照明装置１０Ａが角型のシーリングライトであってもよい。以下、変形例１に係る照明装置１０Ａについて、図７、図８Ａ、及び図８Ｂを参照して説明する。
【００５６】
変形例１に係る照明装置１０Ａは、図７に示すように、基台１Ａと、発光部２Ａ（図８Ａ参照）と、カバー３Ａと、導光部材４Ａと、固定部材と、を備えている。さらに、照明装置１０Ａは、反射部材と、取付部材と、複数（図７では１つのみ図示）の緩衝部材８Ａと、パッキンと、を備えている。なお、変形例１に係る照明装置１０Ａは、基台１Ａ、カバー３Ａ、及び導光部材４Ａ等の形状が角型である点を除いて、上述の実施形態に係る照明装置１０と同様であり、ここでは詳細な説明を省略する。
【００５７】
発光部２Ａは、図８Ａに示すように、複数（図８Ａでは２つ）の実装基板２１Ａを有している。複数の実装基板２１Ａの各々は、一方向（図８Ａの左右方向）に長い矩形の板状に形成されている。各実装基板２１Ａの第１面２１１Ａには、複数の第１発光素子２２及び複数の第２発光素子２３が実装されている。各実装基板２１Ａの第２面（実装基板２１Ａにおける第１面２１１Ａと反対側の面）には、複数の回路素子が実装されている。
【００５８】
複数の第１発光素子２２は、図８Ａに示すように、第１実装領域Ｒ１１に実装されている。複数の第２発光素子２３は、図８Ａに示すように、第２実装領域Ｒ２に実装されている。第２実装領域Ｒ２は、実装基板２１の幅方向の両端部において実装基板２１の長手方向に沿った領域である。第１実装領域Ｒ１１は、実装基板２１の幅方向の両端部に位置する２つの第２実装領域Ｒ２間の領域である。
【００５９】
複数の第２発光素子２３の各々は、一の方向（図８Ａの紙面に垂直な方向）からの平面視において、隣接する第２発光素子２３との間に第２間隔Ｄ２を空けた状態で、第２仮想線Ｌ２上に位置している。また、複数の第１発光素子２２のうち、複数の第２発光素子２３に隣接している複数の第１発光素子２２（以下、「第１発光素子２２Ａ」ともいう）の各々は、隣接する第１発光素子２２Ａとの間に第１間隔Ｄ１を空けた状態で、第１仮想線Ｌ１上に位置している。変形例１では、第１仮想線Ｌ１及び第２仮想線Ｌ２は、それぞれ直線（線分）である。
【００６０】
そして、複数の第１発光素子２２Ａ及び複数の第２発光素子２３のうち少なくとも一部において、第３間隔Ｄ３が第２間隔Ｄ２以上で、かつ第１間隔Ｄ１よりも小さくなっていることが好ましい。変形例１では、図８Ａに示すように、複数の第１発光素子２２Ａ及び複数の第２発光素子２３の一部において、第３間隔Ｄ３が第２間隔Ｄ２以上で、かつ第１間隔Ｄ１よりも小さくなっている。この構成によれば、光拡散性を有するカバー３Ａを用いることによって、第１発光素子２２Ａの個数を削減しながらも所望の配光特性を実現することができる。
【００６１】
なお、変形例１では、複数の第１発光素子２２Ａ及び複数の第２発光素子２３の一部において、第３間隔Ｄ３が第２間隔Ｄ２以上で、かつ第１間隔Ｄ１よりも小さくなっていた。これに対して、すべての第１発光素子２２Ａ及びすべての第２発光素子２３において、第３間隔Ｄ３が第２間隔Ｄ２以上で、かつ第１間隔Ｄ１よりも小さくなっていてもよい。
【００６２】
（４．２）その他の変形例
以下、その他の変形例を列挙する。
【００６３】
上述の実施形態及び変形例１では、照明装置１０，１０Ａが天井取付型のシーリングライトであるが、照明装置１０，１０Ａは、シーリングライトに限らず、例えば、埋め込み型の照明装置であってもよい。
【００６４】
上述の実施形態では、カバー３が光拡散性を有しているが、カバー３は、少なくとも光透過性を有していればよく、光拡散性を有していなくてもよい。
【００６５】
上述の実施形態では、第１回路素子２４１と第２回路素子２４２とが非重複領域Ｒ３に実装されているが、少なくとも第２回路素子２４２が非重複領域Ｒ３に実装されていればよい。つまり、第１回路素子２４１については、第１発光素子２２又は第２発光素子２３と重なる領域に実装されていてもよい。
【００６６】
上述の実施形態では、すべての第１発光素子２２及びすべての第２発光素子２３において、第３間隔Ｄ３が第２間隔Ｄ２以上で、かつ第１間隔Ｄ１よりも小さくなっている。これに対して、複数の第１発光素子２２及び複数の第２発光素子２３の一部において、第３間隔Ｄ３が第２間隔Ｄ２以上で、かつ第１間隔Ｄ１よりも小さくなっていてもよい。
【００６７】
上述の実施形態では、複数の第２回路素子２４２が、実装基板２１の第２面２１２に実装されている。これに対して、複数の第２回路素子２４２は、実装基板２１の厚さ方向から見て、複数の第１発光素子２２及び複数の第２発光素子２３と重ならない位置に配置されていれば、実装基板２１の第１面２１１に実装されていてもよい。
【００６８】
（まとめ）
以上説明したように、第１の態様に係る照明装置（１０；１０Ａ）は、基台（１；１Ａ）と、発光部（２；２Ａ）と、カバー（３；３Ａ）と、導光部材（４；４Ａ）と、固定部材（５）と、を備える。発光部（２；２Ａ）は、第１発光素子（２２；２２Ａ）及び第２発光素子（２３）を有する。カバー（３；３Ａ）は、第１発光素子（２２；２２Ａ）を覆い、第１発光素子（２２；２２Ａ）からの光を照明空間（Ｓ１）へ透過させる。導光部材（４；４Ａ）は、第２発光素子（２３）からの光を照明空間（Ｓ１）へ導光する。固定部材（５）は、発光部（２；２Ａ）及び導光部材（４；４Ａ）を基台（１；１Ａ）に固定する。固定部材（５）は、基部（５０）と、基部（５０）の外縁に設けられたカバー用固定部（５２）と、を有する。カバー（３，３Ａ）は、カバー用固定部（５２）によって固定部材（５）に固定される。
【００６９】
この態様によれば、カバー（３；３Ａ）を固定部材（５）に固定するためのカバー用固定部（５２）が基部（５０）の外縁に設けられているので、第１発光素子（２２；２２Ａ）と第２発光素子（２３）との間にカバー用固定部（５２）を配置するためのスペースが不要である。そのため、第１発光素子（２２；２２Ａ）と第２発光素子（２３）との間隔を狭めることができ、これにより照明装置（１０；１０Ａ）の小型化が可能である。つまり、この態様によれば、所望の配光特性を実現しながらも照明装置（１０；１０Ａ）を小型化することができる。
【００７０】
第２の態様に係る照明装置（１０；１０Ａ）では、第１の態様において、第１発光素子（２２；２２Ａ）は、カバー用固定部（５２）よりも内側の素子用実装領域（Ｒ１）に実装されている。固定部材（５）は、固定部材（５）を基台（１；１Ａ）に固定する部材用固定部（５１）を更に有する。部材用固定部（５１）は、固定部材（５）が基台（１；１Ａ）に取り付けられた状態で、素子用実装領域（Ｒ１）のうち第１発光素子（２２；２２Ａ）が実装されていない非実装領域（Ｒ１２）に配置される。
【００７１】
この態様によれば、第１発光素子（２２；２２Ａ）が配置されていないデッドスペース（非実装領域Ｒ１２）を利用して部材用固定部（５１）を配置することができる。
【００７２】
第３の態様に係る照明装置（１０；１０Ａ）では、第１又は２の態様において、発光部（２；２Ａ）は、実装基板（２１；２１Ａ）と、電源回路（２００）と、を更に有する。実装基板（２１；２１Ａ）は、第１発光素子（２２；２２Ａ）及び第２発光素子（２３）が実装される。電源回路（２００）は、第１発光素子（２２；２２Ａ）及び第２発光素子（２３）の点灯電力を生成する。電源回路（２００）は、複数の回路素子（２４）を有する。複数の回路素子（２４）が実装基板（２１；２１Ａ）に実装されている。
【００７３】
この態様によれば、第１発光素子（２２；２２Ａ）及び第２発光素子（２３）と回路素子（２４）とを別々の基板に実装する場合と比較して、照明装置（１０；１０Ａ）を薄型化することができる。
【００７４】
第４の態様に係る照明装置（１０；１０Ａ）では、第３の態様において、実装基板（２１；２１Ａ）は、第１面（２１１；２１１Ａ）と、第１面（２１１；２１１Ａ）と反対側の第２面（２１２）と、を有する。第１発光素子（２２；２２Ａ）及び第２発光素子（２３）は、第１面（２１１；２１１Ａ）に実装されている。複数の回路素子（２４）は、第２面（２１２）に実装されている。
【００７５】
この態様によれば、回路素子（２４）が第１発光素子（２２；２２Ａ）及び第２発光素子（２３）の配光に与える影響を低減することができる。
【００７６】
第５の態様に係る照明装置（１０；１０Ａ）では、第３又は４の態様において、複数の回路素子（２４）は、第１回路素子（２４１）と、第１回路素子（２４１）よりも大きい第２回路素子（２４２）と、を含む。第２回路素子（２４２）は、実装基板（２１；２１Ａ）のうち、実装基板（２１；２１Ａ）の厚さ方向から見て、第１発光素子（２２；２２Ａ）及び第２発光素子（２３）と重ならない非重複領域（Ｒ３）に実装されている。
【００７７】
この態様によれば、第１発光素子（２２；２２Ａ）及び第２発光素子（２３）から第２回路素子（２４２）への熱の影響を低減することができる。
【００７８】
第６の態様に係る照明装置（１０；１０Ａ）では、第１〜５の態様のいずれかにおいて、発光部（２；２Ａ）は、複数の第１発光素子（２２；２２Ａ）、及び複数の第２発光素子（２３）を含む。複数の第１発光素子（２２；２２Ａ）の各々は、一の方向からの平面視において、隣接する第１発光素子（２２；２２Ａ）との間に第１間隔（Ｄ１）を空けた状態で、第１仮想線（Ｌ１）上に位置する。複数の第２発光素子（２３）の各々は、一の方向からの平面視において、隣接する第２発光素子（２３）との間に第２間隔（Ｄ２）を空けた状態で、第１仮想線（Ｌ１）よりも外側の第２仮想線（Ｌ２）上に位置する。第１仮想線（Ｌ１）と第２仮想線（Ｌ２）とが並ぶ方向における第１発光素子（２２；２２Ａ）と第２発光素子（２３）との間の第３間隔（Ｄ３）は、複数の第１発光素子（２２；２２Ａ）及び複数の第２発光素子（２３）のうち少なくとも一部において、第２間隔（Ｄ２）以上で、かつ第１間隔（Ｄ１）よりも小さい。
【００７９】
この態様によれば、第３間隔（Ｄ３）が第２間隔（Ｄ２）以上で、かつ第１間隔（Ｄ１）よりも小さくなるように、複数の第１発光素子（２２；２２Ａ）及び複数の第２発光素子（２３）が配置されている。そのため、カバー（３；３Ａ）が光拡散性を有している場合には、第１発光素子（２２；２２Ａ）の個数を削減しながらも所望の配光特性を実現することができる。
【００８０】
第２〜６の態様に係る構成については、照明装置（１０；１０Ａ）に必須の構成ではなく、適宜省略可能である。
【符号の説明】
【００８１】
１，１Ａ  基台
２，２Ａ  発光部
３，３Ａ  カバー
４，４Ａ  導光部材
５  固定部材
１０，１０Ａ  照明装置
２１，２１Ａ  実装基板
２２，２２Ａ  第１発光素子
２３  第２発光素子
２４  回路素子
５０  基部
５１  部材用固定部
５２  カバー用固定部
２００  電源回路
２１１，２１１Ａ  第１面
２１２  第２面
２４１  第１回路素子
２４２  第２回路素子
Ｄ１  第１間隔
Ｄ２  第２間隔
Ｄ３  第３間隔
Ｌ１  第１仮想線
Ｌ２  第２仮想線
Ｒ１  素子用実装領域
Ｒ１２  非実装領域
Ｒ３  非重複領域
Ｓ１  照明空間
【図１】
2020047392.tif 000003
【図２】
2020047392.tif 000004
【図３】
2020047392.tif 000005
【図４】
2020047392.tif 000006
【図５】
2020047392.tif 000007
【図６】
2020047392.tif 000008
【図７】
2020047392.tif 000009
【図８】
2020047392.tif 000010